(57)【要約】      （修正有）【課題】局地的大量雨量の洪水被害又は地震による津波被害を防止する洪水或いは津波防止堤防を提供する。【解決手段】垂直の太い堤防固定柱と、底部に備えられた堤防固定壁或いはコンクリート溝と、前記太い堤防固定柱を貫通し嵌め合う穴を保有する管を壁の一端又は壁の側面に備えると共に前記堤防固定壁の幅と嵌め合う幅の両壁を底部に備えた細長い空間を保有する堤防部材或いは前記コンクリート溝と嵌め合う堤防部材と、川面又は海面より上部で回転し複数の水力用ブレード又は風力用ブレードを略等間隔の角度で配置された複数の回転翼を保持する円板型内側回転子と前記円板型内側回転子を回転可能に支持する外側回転子支承部を備えた水力発電部材又は風力発電部材と、堤防固定壁の幅と嵌め合う幅の両壁を底部に備えた細長い空間を保有する堤防部材を具備し、前記水力発電部材又は風力発電部材の外側回転子支承部を前記垂直の太い堤防固定柱が保持させる。【選択図】なし【特許請求の範囲】
【請求項１】
垂直の太い堤防固定柱と、  
底部に備えられた堤防固定壁と、
前記太い堤防固定柱を貫通し嵌め合う穴を保有する管を壁の一端又は壁の側面に備えると共に前記堤防固定壁の幅と嵌め合う幅の両壁を底部に備えた細長い空間を保有する堤防部材
を具備することを特徴とする洪水防止堤防又は津波防止堤防。
【請求項２】
垂直の太い堤防固定柱と、
底部に備えられたコンクリート溝と、
前記太い堤防固定柱を貫通し嵌め合う穴を保有する管を壁の一端又は壁の側面に備えると共に前記コンクリート溝と嵌め合う堤防部材
を具備することを特徴とする洪水防止堤防又は津波防止堤防。
【請求項３】
細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備えた一定の間隔を保有する堤防部材を具備することを特徴とする請求項１或いは請求項２記載の洪水防止堤防又は津波防止堤防。
【請求項４】
川岸両岸或いは川岸両岸近傍の河川内に設置された細長い空間を保有する堤防部材或いはコンクリート溝と嵌め合う堤防部材のそれぞれの堤防部材及び橋梁或いは鉄道の鉄橋を内部に包容するトンネルを具備し、 前記トンネルとそれぞれの前記堤防部材とが隙間がないように構成されることを特徴とする請求項１〜３記載の洪水防止堤防。
【請求項５】
橋梁或いは鉄道の鉄橋を内部に包容する前記トンネルは二つの半円形鉄板を溶接されることを特徴とする請求項４記載の洪水防止堤防。
【請求項６】
複数の水力用ブレード又は風力用ブレードを略等間隔の角度で配置された複数の回転翼により川面又は海面より上部で回転する大型回転子と      
前記大型回転子を支承する外側回転子支承部と  
前記大型回転子が回転することにより発電する発電部  
を備えた水力発電部材又は風力発電部材と、  
前記外側回転子支承部を保持する前記太い堤防固定柱と,
細長い空間を保有する前記堤防部材或いはコンクリート溝と嵌め合う前記堤防部材又は一定の間隔を保有する前記堤防部材
を具備することを特徴とする請求項１〜5記載の洪水防止堤防又は津波防止堤防。
【請求項７】
複数の水力用ブレード又は風力用ブレードを略等間隔の角度で配置された複数の回転翼により川面又は海面より上部で回転する円板型内側回転子或いは円板型円筒内側回転子と
前記円板型内側回転子或いは円板型円筒内側回転子を回転可能に支承する外側回転子支承部であって前記円板型内側回転子或いは円板型円筒内側回転子を内側で支承する前記外側回転子支承部と
前記円板型内側回転子或いは円板型円筒内側回転子が前記外側回転子支承部の内側で回転することにより発電する発電部を備えた水力発電部材又は風力発電部材と、
前記外側回転子支承部を保持する垂直の前記太い堤防固定柱と、
細長い空間を保有する前記堤防部材或いはコンクリート溝と嵌め合う前記堤防部材又は一定の間隔を保有する前記堤防部材
を具備することを特徴とする請求項１〜5記載の洪水防止堤防又は津波防止堤防。
【請求項８】
中央に歯車と前記歯車の前後にそれぞれ内側回転子或いは円筒内側回転子を保有する円板型内側回転子或いは円板型円筒内側回転子であって複数の水力用ブレード又は風力用ブレードを略等間隔の角度で配置された複数の回転翼により川面又は海面より上部で回転する前記円板型内側回転子或いは円板型円筒内側回転子と    
前記歯車の前後の内側回転子或いは円筒内側回転子を回転可能に支承する前外側回転支承部及び後外側回転支承部であって前記内側回転子或いは円筒内側回転子を内側で支承する前外側回転支承部及び後外側回転支承部を保有すると共に前記歯車の幅より大きな間隔を有する間隔部材で固定された外側回転子支承部と
前記円板型内側回転子或いは円板型円筒内側回転子が前記前外側回転支承部及び後外側回転支承部の内側で回転するにより発電する発電部を備えた水力発電部材又は風力発電部材
を具備する請求項７記載の洪水防止堤防又は津波防止堤防。
【請求項９】
前記複数の回転翼が複数の水力用ブレード又は風力用ブレードを略等間隔の角度で斜め方向に配置されることを特徴とする請求項６〜８記載の発電部材を具備する洪水防止堤防又は津波防止堤防。
【発明の詳細な説明】
【技術分野】
【０００１】
本発明は堤防部材を平面的に固定し補強した洪水防止堤防又は津波防止堤防に関する。
【背景技術】
【０００２】
地球温暖化のために局地的大量雨量の発生による洪水被害又は地震による津波被害が多発している。
【０００３】
本発明は堤防部材を平面的に固定し補強した洪水防止堤防又は津波防止堤防を提供することを第一の目的とし、その堤防で自然エネルギーである水力発電又は風力発電が可能にすることを第二の目的とする。
河川敷き又は海岸線利用の複合施設（特開２００７−９６６２号）及び河川水力発電装置(特開２０１７−０７５６１３号）が既に提案されている。
【先行技術文献】
【特許文献】
【０００４】
【特許文献１】特開２００７−９６６２号
【特許文献２】特開２０１７−０７５６１３号
【発明の概要】
【発明が解決しようとする課題】
【０００５】
本発明は、堤防部材を平面的に固定し補強した洪水防止堤防又は津波防止堤防の提供を第一の目的とし、その堤防で自然エネルギーである水力発電又は風力発電が可能にすることを第二の目的とする。
【課題を解決するための手段】
【０００６】
本発明は、堤防部材を平面的に固定し補強した洪水防止堤防又は津波防止堤防の提供をその第一の目的ととする。また、複数の水力用ブレード又は風力用ブレードを略等間隔の角度で配置された複数の回転翼により川面又は海面より上部で回転する大型回転子を備えた水力発電部材又は風力発電部材と 川岸両岸又は海岸線に設置され前記水力発電部材又は風力発電部材を保持する発電部材保持部  を具備する洪水防止堤防又は津波防止堤防を提供することを更なる目的とする。
本発明において大型回転子は川面又は海面より上部で回転し複数の水力用ブレード又は風力用ブレードを略等間隔の角度で配置された複数の回転翼を保持する。
本発明において大型回転子とは円板型内側回転子或いは円板型円筒内側回転子又は中心軸を中心に回転する大型円形回転子を意味し、”円板型内側回転子或いは円板型円筒内側回転子”とは外形に比較して厚みが小さい”内側回転子或いは円筒内側回転子”を意味する。前記大型回転子に連動する磁石又はコイルが配置され電磁誘導により公知の如く発電する。        
請求項1記載の  洪水防止堤防  又は  津波防止堤防  は、垂直の太い堤防固定柱と、底部に備えられた堤防固定壁と、前記太い堤防固定柱を貫通し嵌め合う穴を保有する管を壁の一端又は壁の側面に備えると共に前記堤防固定壁の幅と嵌め合う幅の両壁を底部に備えた細長い空間を保有する堤防部材を具備することを特徴とする。                    
請求項２記載の  洪水防止堤防  又は  津波防止堤防  は、垂直の太い堤防固定柱と、 底部に備えられたコンクリート溝と、前記太い堤防固定柱を貫通し嵌め合う穴を保有する管を壁の一端又は壁の側面に備えると共に前記コンクリート溝と嵌め合う堤防部材を具備することを特徴とする。
請求項３記載の  洪水防止堤防  又は  津波防止堤防  は、細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備えた一定の間隔を保有する堤防部材を具備することを特徴とする請求項１或いは請求項２記載の洪水防止堤防又は津波防止堤防である。
請求項４記載の  洪水防止堤防  は、川岸両岸或いは川岸両岸近傍の河川内に設置された細長い空間を保有する堤防部材或いはコンクリート溝と嵌め合う堤防部材のそれぞれの堤防部材及び橋梁或いは鉄道の鉄橋を内部に包容するトンネルを具備し、 前記トンネルとそれぞれの前記堤防部材とが隙間がないように構成されることを特徴とする請求項１〜３記載の洪水防止堤防である。
請求項５記載の  洪水防止堤防  は、橋梁或いは鉄道の鉄橋を内部に包容する前記トンネルは二つの半円形鉄板を溶接されることを特徴とする請求項４記載の洪水防止堤防 である。
【０００７】
請求項６記載の  洪水防止堤防又は津波防止堤防  は、  複数の水力用ブレード又は風力用ブレードを略等間隔の角度で配置された複数の回転翼により川面又は海面より上部で回転する大型回転子と  前記大型回転子を支承する外側回転子支承部と  前記大型回転子が回転することにより発電する発電部  を備えた水力発電部材又は風力発電部材と、前記外側回転子支承部を保持する前記太い堤防固定柱と、  細長い空間を保有する前記堤防部材或いはコンクリート溝と嵌め合う前記堤防部材又は一定の間隔を保有する前記堤防部材を具備することを特徴とする請求項１〜5記載の洪水防止堤防又は津波防止堤防である。
請求項７記載の  洪水防止堤防又は津波防止堤防  は、複数の水力用ブレード又は風力用ブレードを略等間隔の角度で配置された複数の回転翼により川面又は海面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部を備えた水力発電部材又は風力発電部材と、 前記外側回転子支承部を保持する前記太い堤防固定柱と、
細長い空間を保有する前記堤防部材或いはコンクリート溝と嵌め合う前記堤防部材又は一定の間隔を保有する前記堤防部材を具備することを特徴とする請求項１〜５記載の洪水防止堤防又は津波防止堤防である。
請求項８記載の  洪水防止堤防又は津波防止堤防  は、中央に歯車と前記歯車の前後にそれぞれ内側回転子或いは円筒内側回転子を保有する円板型内側回転子或いは円板型円筒内側回転子であって複数の水力用ブレード又は風力用ブレードを略等間隔の角度で配置された複数の回転翼により川面又は海面より上部で回転する前記円板型内側回転子或いは円板型円筒内側回転子と  前記歯車の前後の内側回転子或いは円筒内側回転子を回転可能に支承する前外側回転支承部及び後外側回転支承部であって前記内側回転子或いは円筒内側回転子を内側で支承する前外側回転支承部及び後外側回転支承部を保有すると共に前記歯車の幅より大きな間隔を有する間隔部材で固定された外側回転子支承部と  前記円板型内側回転子或いは円板型円筒内側回転子が前記前外側回転支承部及び後外側回転支承部の内側で回転するにより発電する発電部を備えた水力発電部材又は風力発電部材を具備する請求項７記載の洪水防止堤防又は津波防止堤防である。
請求項９記載の  洪水防止堤防又は津波防止堤防  は、前記複数の回転翼が複数の水力用ブレード又は風力用ブレードを略等間隔の角度で斜め方向に配置されることを特徴とする請求項６〜８記載の発電部材を具備する洪水防止堤防又は津波防止堤防である。
【発明の効果】
【０００８】
本発明によれば。洪水防止堤防  又は  津波防止堤防  の堤防部材を平面的に固定し補強することが可能となる。また、水力用ブレード又は風力用ブレードを略等間隔の角度で斜め方向に配置された複数の回転翼を保有する大型回転子が川面又は海面より上部で回転するので大きな電力を発生可能な外形であり、複数の水力用ブレード又は風力用ブレードが大型で大きな電力の発生も可能となる。また、本発明によれば発生した電力を地方自治体とその住民及び発電電力会社の三方に良い全国津々浦々の地方創生ができる。
【発明を実施するための形態】
【０００９】
本発明の  洪水防止堤防  又は  津波防止堤防  は、垂直の太い堤防固定円柱と、底部に備えられた堤防固定壁  或いは  コンクリート溝と、前記堤防固定壁の幅と嵌め合う幅の両壁を底部に備えた細長い空間を保有する堤防部材、例えば河岸又は海岸線近傍に５メートル幅の鉄板を垂直に打ち込んで設置された堤防固定壁の幅と嵌め合う幅の両壁を底部に備えると共に前記太い堤防固定円柱を貫通し嵌め合う穴を保有する管を壁の一端又は壁の側面に備えた細長い空間を保有するコ型堤防鉄板、或いは 前記太い堤防固定円柱を貫通し嵌め合う穴を保有する管を壁の一端又は壁の側面に備えると共に底部は前記コンクリート溝と嵌め合う堤防部材、例えばコンクリート溝と嵌め合う一定の幅の堤防鉄板或いはコンクリート堤防壁、又は  細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備えた一定の間隔を保有する堤防部材   複数の水力用ブレード又は風力用ブレードを略等間隔の角度で斜め方向に配置された複数の回転翼を保持すると共に川面又は海面より上部で回転する大型円形回転子としての円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記大型円形回転子が回転することにより発電する発電部  を備えた水力発電部材又は風力発電部材と、前記堤防固定円柱の上部に備えられた前記外側回転子支承部を保持する発電部材保持部材を具備する。
なお、”斜め方向”とは複数の水力用ブレード又は風力用ブレードが略等間隔の角度で垂直面とは一定の角度である”斜め方向”に配置された複数の回転翼を意味し、あらゆる方向の風に前記複数の回転翼が回転可能となる。
複数の水力用ブレード又は風力用ブレードを略等間隔の角度で斜め方向に配置された前記複数の回転翼は前記洪水防止堤防又は前記津波防止堤防の両側で回転可能である。
前記円板型内側回転子或いは円板型内側円筒回転子を内側で支承する前記外側回転子支承部は例えばボール或いはコロを介して回転可能に支承する実施例も可能である。
前記堤防連続固定壁又は堤防固定壁は旧来の堤防を利用することが出来る。
前記細長い空間を保有するコ型堤防鉄板  或いは  前記コンクリート溝と底部が嵌め合う堤防鉄板或いはコンクリート堤防壁は、 太い堤防固定円柱を貫通し嵌め合う穴を保有するそれぞれの堤防鉄板或いはコンクリート堤防壁の壁の一端或いは壁の側面の前記管を貫通し嵌め合うと共にそれぞれの堤防鉄板の一端の壁の板厚或いはコンクリート堤防壁の壁厚以上の切りの欠き穴を備えた太い厚さの切り欠き管を保有すると共に前記堤防鉄板の他端の壁の板厚或いはコンクリート堤防壁の壁厚と嵌め合う溝を備えた太い厚さの腕を保有する肉厚ある繋補助部材によりそれぞれの堤防鉄板或いはコンクリート堤防壁の他端と繋ぐ。
上記  洪水防止堤防  又は津波防止堤防  の製作工程  は、壁の一端又は壁の側面に備えられた前記管の穴を前記太い堤防固定円柱が貫通し嵌め合うと共に底部を前記堤防固定壁或いはコンクリート溝と嵌め合い前記堤防鉄板或いはコンクリート堤防壁を平面的に固定し補強するステップと、前記繋補助部材によりそれぞれの堤防鉄板或いはコンクリート堤防壁の他端と係合して繋ぐステップと、太い堤防固定円柱の上部に前記発電部材保持部材を取り付けるステップと、前記外側回転子支承部を分割部品とし前記発電部材保持部材に外側回転子支承部下部分割部品を固定支持するステップと、円板型内側回転子或いは円板型円筒内側回転子を形状の同じ分割部品とし、前記ボール或いはコロを介して同じ形状の前記円板型内側回転子分割部品或いは円板型円筒内側回転子分割部品を前記外側回転子支承部下部分割部品の上に組み立てるステップと、前記ボール或いはコロを介して同じ形状の残りの前記円板型内側回転子分割部品或いは円板型円筒内側回転子分割部品及び前記外側回転子支承部の残りの分割部品を組み立て結合するステップによりなる。  
前記細長い空間を保有するコ型堤防鉄板  又は  前記コンクリート溝と嵌め合う堤防鉄板或いはコンクリート堤防壁は、太い堤防固定円柱を貫通し嵌め合う穴を保有する管を細長い空間を保有するコ型堤防鉄板壁側面  或いは  コンクリート堤防壁側面  に保有し前記細長い空間を保有する前記堤防部材  或いは  コンクリート溝と嵌め合う前記堤防部材  を一定の間壁で配置した実施例も可能で、太い堤防固定円柱を貫通し嵌め合う穴を保有する管を保有すると共にそれぞれの堤防鉄板或いはコンクリート堤防壁の両端の板厚或いは壁厚と嵌め合う溝を備えた両腕を保有する肉厚ある繋補助部材によりそれぞれの堤防鉄板或いはコンクリート堤防壁の両端と係合して繋ぐ。
細長い空間を保有する前記堤防部材  或いは  コンクリート溝と嵌め合う前記堤防部材  を一定の間隔で配置し、前記太い堤防固定柱を貫通し嵌め合う穴を保有する管を壁の一端又は壁の側面で前記間隔の外側に備えるとともにその間隔内にコ型鉄板を備えた実施例も本発明の要旨の範囲内である。  
一定の間隔を保有する前記実施例で、前記一定の間隔の幅を広くしてトンネル部を例えば二車線の車用道路とし、前記コ型堤防鉄板上部も例えば二車線の車用道路とし、細長い空間を保有する前記堤防部材或いはコンクリート溝と嵌め合う前記堤防部材の上部に鉄板を備えて車用道路及び歩道の利用も可能である。
また、前記歩道から川岸又は海辺に降りる階段又はエレベーターを設置することも出来る。
【００１０】
本発明による洪水防止堤防の第一実施態様は、垂直の太い堤防固定円柱と、底部に備えられた堤防固定壁或いはコンクリート溝と、前記堤防固定壁の幅と嵌め合う幅の両壁を底部に備えると共に前記太い堤防固定円柱を貫通し嵌め合う穴を保有する管を壁の一端に備えた細長い空間を保有するコ型堤防鉄板、或いは  前記太い堤防固定円柱を貫通し嵌め合う穴を保有する管を壁の一端に備えると共に底部は前記コンクリート溝と嵌め合う堤防鉄板或いはコンクリート堤防壁と、複数の水力用ブレード又は風力用ブレードを略等間隔の角度で斜め方向に配置された複数の回転翼を保持し川面の上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた水力発電部材又は風力発電部材と、前記太い堤防固定円柱に備えられた前記外側回転子支承部を保持する発電部材保持部材を具備する。
本発明による洪水防止堤防の第二実施態様は、垂直の太い堤防固定円柱と、底部に備えられた堤防固定壁或いはコンクリート溝と、前記堤防固定壁の幅と嵌め合う幅の両壁を底部に備えると共に前記太い堤防固定円柱を貫通し嵌め合う穴を保有する管を壁の側面に備えた細長い空間を保有するコ型堤防鉄板、或いは  前記太い堤防固定円柱を貫通し嵌め合う穴を保有する管を壁の側面に備えると共に底部は前記コンクリート溝と嵌め合う堤防鉄板或いはコンクリート堤防壁と、複数の水力用ブレード又は風力用ブレードを略等間隔の角度で斜め方向に配置された複数の回転翼を保持し中心軸を中心に外側で回転する大型円形回転子と  前記大型円形回転子を支承する外側回転子支承部と  前記大型円形回転子が回転することにより発電する発電部  を備えた水力発電部材又は風力発電部材と、前記太い堤防固定円柱に備えられた前記外側回転子支承部を保持する発電部材保持部材を具備する。
前記外側回転子支承部の底部を保持する高さ１０メートル以上の前記太い堤防固定円柱は川岸両岸或いは川岸両岸近傍の川底に設置される。橋梁或いは鉄道の鉄橋を内部で包容する鉄製トンネルが設置され、前記鉄板製トンネルと前記水力発電部材又は風力発電部材を備えたそれぞれの前記堤防鉄板とが隙間のないように溶接すれば洪水を防止できる。前記鉄板製トンネルは例えば二つの半円形鉄板を溶接して製造される。
洪水防止堤防の第一実施態様を川岸の両岸に設置する場合、前記円板型内側回転子或いは円板型円筒内側回転子は複数の水力用ブレード又は風力用ブレードを略等間隔の角度で斜め方向に配置された複数の回転翼をそれぞれの前記堤防鉄板の両側に具備するとともに前記外側回転子支承部が川岸の両岸に設置されたそれぞれの前記堤防鉄板の上部により保持される実施例も可能で、あらゆる方向の風に対して前記堤防鉄板の両側の前記複数の回転翼が回転可能となる。
河川で水力発電及び風力発電を兼用する実施例は、先端に河川の流れを受ける翼を備え略等間隔の角度で斜め方向に配置された複数の風力用ブレードを具備する前記円板型内側回転子或いは円板型円筒内側回転子が河川の流れにも応じて回転可能となる。
【００１１】
本発明による津波防止堤防の第一実施態様は、垂直の太い堤防固定円柱と、底部に備えられた堤防固定壁或いはコンクリート溝と、前記堤防固定壁の幅と嵌め合う幅の両壁を底部に備えると共に前記太い堤防固定円柱を貫通し嵌め合う穴を保有する管を壁の一端に備えた細長い空間を保有するコ型堤防鉄板、或いは  前記太い堤防固定円柱を貫通し嵌め合う穴を保有する管を壁の一端に備えると共に底部は前記コンクリート溝と嵌め合う堤防鉄板或いはコンクリート堤防壁と、複数の風力用ブレードを略等間隔の角度で斜め方向に配置された複数の回転翼を保持し海面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた風力発電部材と、前記太い堤防固定円柱に備えられた前記外側回転子支承部を保持する発電部材保持部材を具備する。
本発明による津波防止堤防の第二実施態様は、垂直の太い堤防固定円柱と、底部に備えられた堤防固定壁或いはコンクリート溝と、前記堤防固定壁の幅と嵌め合う幅の両壁を底部に備えると共に前記太い堤防固定円柱を貫通し嵌め合う穴を保有する管を壁の側面に備えた細長い空間を保有するコ型堤防鉄板、或いは  前記太い堤防固定円柱を貫通し嵌め合う穴を保有する管を壁の側面に備えると共に底部は前記コンクリート溝と嵌め合う堤防鉄板或いはコンクリート堤防壁と、複数の風力用ブレードを略等間隔の角度で斜め方向に配置された複数の回転翼を保有し中心軸を中心に外側で回転する大型円形回転子と  前記大型円形回転子を支承する外側回転子支承部と  前記大型円形回転子が回転することにより発電する発電部  を備えた風力発電部材と、前記太い堤防固定円柱に備えられた前記外側回転子支承部を保持する発電部材保持部材を回転翼を保持する。
前記細長い空間を保有するコ型堤防鉄板或いはコンクリート溝と嵌め合う堤防鉄板或いはコンクリート堤防壁は海岸線の陸或いは海岸線の陸近傍の海底に設置される。
前記外側回転子支承部は前記太い堤防固定円柱により保持され、前記太い堤防固定円柱に半円周以上の円筒状穴の保持部があれば前記外側回転子支承部を確実に保持する。    
複数の風力用ブレードを略等間隔の角度で斜め方向に配置された複数の回転翼を保持し海面より上部で回転する前記円板型内側回転子或いは円板型円筒内側回転子は斜め方向に配置された複数の回転翼によりあらゆる方向の風により回転出来る。
海岸線近傍の海底に固定支持する前記発電部材保持部材として５メートル幅の鉄板を垂直に打ち込んで設置されたの海側堤防固定壁側面と海側の内側壁が接触すると共に陸側が受け台により支えられ太い堤防固定円柱により固定された細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えるその間隔内にコ型鉄板、前記太い堤防固定円柱の上部に半円筒状の保持部を具備する発電部材保持部材で前記外側回転子支承部が確実に固定される。
前記風力発電部材の一実施形態は、中央に歯車と前記歯車の前後にそれぞれ内側回転子或いは円筒内側回転子を保有する円板型内側回転子或いは円板型円筒内側回転子であって複数の風力用ブレードを略等間隔の角度で斜め方向に配置された回転翼により川面又は海面より上部で回転する前記円板型内側回転子或いは円板型円筒内側回転子と  前記歯車の前後の内側回転子或いは円筒内側回転子を回転可能に支承する外側回転支承部であって前後の前記内側回転子或いは円筒内側回転子を内側で支承する前外側回転支承部及び後外側回転支承部を保有すると共に前記歯車の幅より大きな間隔を有する間隔部材で固定された前記外側回転子支承部と  前記円板型内側回転子或いは円板型円筒内側回転子が前記前外側回転支承部及び後外側回転支承部の内側で回転するにより発電する発電部  を備えた風力発電部材と、前記風力発電部材の外側回転子支承部を保持する発電部材保持部材  を具備する。歯車の回転は外側回転子支承部の外形位置に備えられた歯車列を介して発電機の小型歯車に連動される。
【００１２】
本発明の洪水防止堤防を両岸近傍の川底に配置した実施例は、垂直の太い堤防固定円柱と、底部に備えられた堤防固定壁或いはコンクリート溝と、例えば５メートル幅の鉄板を垂直に打ち込んで設置された堤防固定壁と、前記堤防固定壁に嵌め合う幅の両壁を底部に備えると共に太い堤防固定円柱を貫通し嵌め合う穴を保有する管を壁の一端に備えた細長い空間を保有するコ型堤防鉄板、或いは  細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えるその間隔内にコ型鉄板、  複数の水力用ブレード又は風力用ブレードを略等間隔の角度で斜め方向に配置された複数の回転翼を保持し川面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子と前記外側回転子支承部の間に介在するボール或いはコロと  前記円板型内側回転子或いは円板型円筒内側回転子が前記外側回転子支承部の内側で回転することにより発電する発電部  を備えた水力発電部材又は風力発電部材と、前記太い堤防固定円柱に半円筒状の保持部を具備する発電部材保持部材  を具備する。
複数の水力用ブレード又は風力用ブレードを略等間隔の角度で斜め方向に配置された複数の回転翼を保持する前記内側回転子或いは円筒内側回転子の回転に連動する磁石又はコイルが配置され電磁誘導により公知の如く発電を可能にする。前記水力発電部材又は風力発電部材の外側回転子支承部は半円筒状の保持部を備えた前記発電部材保持部材により保持される。
旧来の橋梁或いは鉄道の鉄橋を内部に包容する鉄板製トンネルを設け、前記鉄板製トンネルとそれぞれの前記コ型堤防鉄板を隙間がないように溶接すれば洪水を防止することが出来る。      
前記円板型内側回転子或いは円板型内側円筒回転子を内側で支承する前記外側回転子支承部はボール或いはコロを介して回転可能に支承されである。
【００１３】
川岸の両岸に設置された本発明の第二実施態様の実施例である第一実施例の洪水防止堤防は、垂直の太い堤防固定円柱と、底部に備えられた堤防固定壁或いはコンクリート溝と、複数の水力用ブレード又は風力用ブレードを略等間隔の角度で斜め方向に配置された複数の回転翼を保持し略垂直の太い堤防固定円柱の上部で中心軸を中心に外側で回転する大型円形回転子と  前記大型円形回転子を支承する外側回転子支承部と  前記大型円形回転子が回転することにより発電する発電部  を備えた水力発電部材又は風力発電部材と、川岸の両岸に設置された５メートル幅のコンクリート堤防固定壁の幅と嵌め合う幅の両壁を底部に備えると共に太い堤防固定円柱を貫通し嵌め合う穴を保有する管を壁の側面に備えた細長い空間を保有するコ型堤防鉄板、或いは  太い堤防固定円柱を貫通し嵌め合う穴を保有する管を壁の側面に備えると共に底部はコンクリート溝と嵌め合う堤防鉄板と、又は  細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備える一定の間隔を保有する堤防部材と、前記太い堤防固定円柱に備えられた前記外側回転子支承部を保持する発電部材保持部材を具備する。
河岸の両岸に設置された本発明の第一実施態様の実施例である第二実施例の洪水防止堤防は、垂直の太い堤防固定円柱と、底部に備えられた堤防固定壁或いはコンクリート溝と、川岸の両岸に配置された５メートル幅のコンクリート堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  太い堤防固定円柱を貫通し嵌め合う穴を保有する管を壁の一端に備えると共に底部はコンクリート溝と嵌め合う堤防鉄板或いはコンクリート堤防壁と、又は  細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備えた一定の間隔を保有する堤防部材と、  複数の水力用ブレード又は風力用ブレードを略等間隔の角度で斜め方向に配置された複数の回転翼を保持し川面の上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた水力発電部材又は風力発電部材と、前記太い堤防固定円柱に備えられた前記外側回転子支承部を保持する発電部材保持部材を具備し前記外側回転子支承部が川岸の両岸のそ前記太い堤防固定円柱半円筒状の保持部により保持される。
旧来の橋梁或いは鉄道の鉄橋を内部に包容する鉄板製トンネルが設置され、前記鉄板製トンネルと前記堤防鉄板とは隙間のないように例えば前記鉄板製トンネルとそれぞれの前記堤防鉄板を溶接すれば洪水を防止することが出来る。
河岸の両岸に堤防鉄板を備えた前記実施例では、川底に配置された発電部材固定壁の上部に半円筒状の保持部を具備すると共に橋梁或いは鉄道の鉄橋を内部に包容する前記トンネルを貫通する円板型円筒内側回転子を備えた水力発電部材又は風力発電部材を配置すればそれぞれの前記発電部材固定壁の両側の垂直方向に配置された前記複数の回転翼により更に水力又は風力発電も可能となる。
【００１４】
本発明の津波防止堤防を海岸線近傍の海底に設置した実施例は、垂直の太い堤防固定円柱と、底部に備えられた堤防固定壁或いはコンクリート溝と、５メートル幅の鉄板を垂直に打ち込んで設置された堤防固定壁と  細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備えた一定の間隔を保有する堤防部材と、複数の風力用ブレードを略等間隔の角度で斜め方向に配置された複数の回転翼を保持し海面より上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子と前記外側回転子支承部の間に介在するボール或いはコロと  前記円板型内側回転子或いは円板型円筒内側回転子が前記外側回転子支承部の内側で回転することにより発電する発電部  を備えた風力発電部材と、前記コ型堤防鉄板又は太い堤防固定円柱の上部に半円筒状の保持部を具備する風力発電部材保持部材を具備する。前記風力発電部材の外側回転子支承部は前記太い堤防固定円柱の上部に備えられた半円筒状の保持部により保持される。    
複数の風力用ブレードを略等間隔の角度で斜め方向に配置された複数の回転翼を保持する前記内側回転子或いは円筒内側回転子に連動する磁石又はコイルが配置され電磁誘導により公知の如く発電を可能にする。
前記円板型内側回転子或いは円板型内側円筒回転子を内側で支承する前記外側回転子支承部はボール或いはコロを介して回転可能に支承されである。
風力発電部材の一実施形態は、中央に歯車と前記歯車の前後にそれぞれ内側回転子或いは円筒内側回転子を保有する円板型内側回転子或いは円板型円筒内側回転子であって複数の風力用ブレードを略等間隔の角度で斜め方向に配置された回転翼により海面より上部で回転する前記円板型内側回転子或いは円板型円筒内側回転子と  前記歯車の前後の内側回転子或いは円筒内側回転子を回転可能に支承する外側回転支承部であって前後の前記内側回転子或いは円筒内側回転子を内側で支承する前外側回転支承部及び後外側回転支承部を保有すると共に前記歯車の幅より大きな間隔を有する間隔部材で固定された前記外側回転子支承部と  前記円板型内側回転子或いは円板型円筒内側回転子が前記前外側回転支承部及び後外側回転支承部の内側で回転するにより発電する発電部  を備えた風力発電部材と、前記風力発電部材の外側回転子支承部を保持する発電部材保持部材を具備する。
【００１５】
海岸線近傍の陸に設置された本発明の第二実施態様の実施例である第一実施例の津波防止堤防は、垂直の太い堤防固定円柱と、底部に備えられた堤防固定壁或いはコンクリート溝と、海岸線近傍の陸に設置された５メートル幅のコンクリート堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  太い堤防固定円柱を貫通し嵌め合う穴を保有する管を壁の一端に備えると共に底部はコンクリート溝と嵌め合う堤防鉄板或いはコンクリート堤防壁と、又は  細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備える一定の間隔を保有する堤防部材と、  複数の風力用ブレードを略等間隔の角度で斜め方向に配置された複数の回転翼を保持し略垂直の太い堤防固定円柱の上部で中心軸を中心に外側で回転する大型円形回転子と  前記大型円形回転子を支承する外側回転子支承部と  前記大型円形回転子が回転することにより発電する発電部  を備えた風力発電部材と、前記太い堤防固定円柱に備えられた前記外側回転子支承部を保持する風力発電部材保持部材を具備する。
海岸線近傍の陸に設置された本発明の第一実施態様の実施例である第二実施例の津波防止堤防は、垂直の太い堤防固定円柱と、底部に備えられた堤防固定壁或いはコンクリート溝と、海岸線近傍の陸に配置された５メートル幅のコンクリート堤防固定壁の幅と嵌め合う幅の両壁を底部に備えると共に太い堤防固定円柱を貫通し嵌め合う穴を保有する管を壁の一端に備えた細長い空間を保有するコ型堤防鉄板、或いは  細長い空間を保有する前記堤防部材或いはコンクリート溝と嵌め合う前記堤防部材を一定の間隔で配置し、前記太い堤防固定柱を貫通し嵌め合う穴を保有する管を壁の一端又は壁の側面で前記間隔の外側に備えると共にその間隔内にコ型鉄板を備える一定の間隔を保有する堤防部材と、又は  太い堤防固定円柱を貫通し嵌め合う穴を保有する管を壁の一端に備えると共に底部はコンクリート溝と嵌め合う堤防鉄板或いはコンクリート堤防壁と、複数の風力用ブレードを略等間隔の角度で斜め方向に配置された複数の回転翼を保持し海面の上部で回転する円板型内側回転子或いは円板型円筒内側回転子と  前記円板型内側回転子或いは円板型円筒内側回転子を回転可能に支承する外側回転子支承部であって前記円板型内側回転子或いは円板型円筒内側回転子を内側で支承する前記外側回転子支承部と  前記円板型内側回転子或いは円板型円筒内側回転子が前記外側回転子支承部の内側で回転することにより発電する発電部  を備えた風力発電部材と、前記太い堤防固定円柱に備えられた前記外側回転子支承部を保持する風力発電部材保持部材を具備し、前記外側回転子支承部が前記は太い堤防固定円柱の上部に備えられた半円筒状の保持部により保持される。